(57)【特許請求の範囲】
【請求項１】
石油精製プロセスで副生される石油残渣と重油とを混合して混合油を生成する混合油生成装置であって、
前記石油残渣と前記重油との混合割合と、前記混合割合における前記混合油の着火温度との相関関係を示す着火特性を記憶する着火特性記憶部と、
前記混合油の着火温度の目標値となる目標着火温度を設定する目標着火温度設定部と、
前記着火特性に基づいて前記目標着火温度に対応する初期混合割合を目標混合割合に設定する目標混合割合設定部と、
前記石油残渣と前記重油とを前記目標混合割合で混合する混合器と、を有する混合油生成装置と、
前記混合油生成装置によって生成された前記混合油を燃焼させるボイラ装置と、
前記混合油生成装置によって生成された前記混合油を前記ボイラ装置に搬送するための搬送装置と、
前記ボイラ装置における前記混合油の燃焼状況を監視する燃焼状況監視装置と、を備え、
前記混合油生成装置は、
前記燃焼状況監視装置で監視された前記混合油の燃焼状況に基づいて、前記目標混合割合を修正する目標混合割合修正部をさらに有し、
前記目標混合割合修正部は、前記ボイラ装置の出力が予め定めた出力閾値よりも低下することが予想される場合に、前記目標混合割合における前記重油の混合割合が大きくなるように前記目標混合割合を修正することを特徴とするボイラシステム。
【請求項２】
前記目標着火温度は、過去に使用実績のある燃料の着火温度に基づいて設定されることを特徴とする請求項１に記載のボイラシステム。
【請求項３】
前記混合油生成装置は、
前記石油残渣または前記重油を加熱する加熱装置と、
前記混合器において前記目標混合割合で前記石油残渣と前記重油とが混合された前記混合油の粘度を取得する粘度取得部と、
前記粘度取得部で取得された前記混合油の前記粘度が予め定めた粘度閾値よりも大きい場合に、前記混合油の前記粘度が前記粘度閾値以下となるように、前記混合油を加熱するよう前記加熱装置を制御する油温制御部と、をさらに有することを特徴とする請求項１または２に記載のボイラシステム。
【請求項４】
前記混合油生成装置は、前記燃焼状況監視装置で監視された前記混合油の燃焼状況の良否を判定する燃焼状況判定部をさらに有し、
前記目標混合割合修正部は、前記燃焼状況判定部によって前記混合油の燃焼状況が不良と判定された場合に、前記目標混合割合における前記重油の混合割合が大きくなるように前記目標混合割合を修正することを特徴とする請求項１〜３のいずれか１項に記載のボイラシステム。
【請求項５】
前記混合油生成装置は、前記燃焼状況監視装置で監視された前記混合油の燃焼状況の良否を判定する燃焼状況判定部をさらに有し、
前記目標混合割合修正部は、前記燃焼状況判定部によって前記混合油の燃焼状況が良好と判定された場合に、前記目標混合割合における前記重油の混合割合が小さくなるように前記目標混合割合を修正することを特徴とする請求項１〜４のいずれか１項に記載のボイラシステム。
【請求項６】
石油残渣と重油とを混合して混合油を生成する混合油生成装置であって、
前記石油残渣と前記重油との混合割合と、前記混合割合における前記混合油の着火温度との相関関係を示す着火特性を記憶する着火特性記憶部と、
前記混合油の着火温度の目標値となる目標着火温度を設定する目標着火温度設定部と、
前記着火特性に基づいて前記目標着火温度に対応する初期混合割合を目標混合割合に設定する目標混合割合設定部と、
前記石油残渣と前記重油とを前記目標混合割合で混合する混合器と、を有する混合油生成装置と、
前記混合油生成装置によって生成された前記混合油を燃焼させるボイラ装置と、
前記混合油生成装置によって生成された前記混合油を前記ボイラ装置に搬送するための搬送装置と、
前記ボイラ装置における前記混合油の燃焼状況を監視する燃焼状況監視装置と、を備え、
前記混合油生成装置は、前記燃焼状況監視装置で監視された前記混合油の燃焼状況に基づいて、前記目標混合割合を修正する目標混合割合修正部を有し、
前記目標混合割合修正部は、前記ボイラ装置の出力が予め定めた出力閾値よりも低下することが予想される場合に、前記目標混合割合における前記重油の混合割合が大きくなるように前記目標混合割合を修正することを特徴とするボイラシステム。
【発明の詳細な説明】
【技術分野】
【０００１】
本開示は、石油精製プロセスで副生される石油残渣と重油とを混合して混合油を生成するボイラシステムに関する。
【背景技術】
【０００２】
石油精製プロセスにおいて、重質油を削減し、軽質化した石油製品の増量を図るため、溶剤脱れき（ＳＤＡ：Ｓｏｌｖｅｎｔ  Ｄｅ−Ａｓｐｈａｌｔｉｎｇ）装置などの残油分解装置がプラントに設置される場合がある。ＳＤＡ装置は、重質油から軽質留分を最大限抽出する。その結果、ＳＤＡ装置では、高粘度の石油残渣（「ＳＤＡピッチ」とも呼ばれる。）が副生される。そこで、ＳＤＡピッチの有効利用を図るため、ＳＤＡピッチが、例えばボイラの燃料として適用される場合がある。
【０００３】
石油残渣をボイラの燃料として利用する技術として、特許文献１〜２には、石油残渣を重油と混合させることで石油残渣を溶融し、流体化された混合油（燃料油）を生成する技術が開示されている。流体化された混合油は搬送装置により火炉に搬送され、火炉の燃料として用いられている。また、石油残渣と混合される重油は、石油残渣を溶融するための粘度調整剤として利用されており、石油残渣と重油との混合割合は混合油の動粘度に基づいて設定されている。
【先行技術文献】
【特許文献】
【０００４】
【特許文献１】特開２０１２−２１７５０号公報
【特許文献２】特開２０１４−２１４９３８号公報
【発明の概要】
【発明が解決しようとする課題】
【０００５】
ところで、石油残渣と重油との混合油の動粘度は、混合油の温度によっても調整可能である。また、石油残渣の燃料としての利用に際しては、混合油における石油残渣の割合が大きいほど、換言すれば、重油の割合が小さいほど、混合油の生成コスト（製造コスト）の観点で望ましい。しかし、石油残渣は、例えば、減圧残油（ＶＲ）やＰＤＡＳなど火炉での使用実績（燃焼実績）のある燃料に比べて燃焼特性が劣ることが予想される。このため、混合油における石油残渣の割合を無作為に大きくすると、生成コストの点で有利である反面、火炉内における混合油の燃焼に悪影響を及ぼし、火炉の運転に支障をきたすおそれがある。
【０００６】
この点、石油残渣と重油との混合割合は、混合油の着火特性にも影響を与えることが、本発明者らの研究により明らかになった。石油残渣は、例えば、減圧残油（ＶＲ）やＰＤＡＳなど火炉での使用実績（燃焼実績）のある燃料に比べて揮発成分の割合が小さく、ＶＲ、ＰＤＡＳなどに比べて着火特性が劣る。また、混合油の着火温度は、重油の混合割合の増加に伴って低温側に変化するなど、石油残渣と重油との混合割合によって変化する。
【０００７】
本発明者らは、この新しい知見を基に鋭意検討した結果、石油残差と重油との混合割合を、従来の混合油の動粘度に基づく設定ではなく、混合油の着火特性に基づいて設定する方法を見出し、本発明を完成するに至った。
【０００８】
上述の事情に鑑みて、本発明の少なくとも一実施形態は、燃料として要求される着火温度の特性を満たす混合油を低コストで生成可能な混合油生成方法を提供することを目的とする。
【課題を解決するための手段】
【０００９】
（１）本発明の少なくとも一実施形態に係る混合油生成方法は、
石油残渣と重油とを混合して混合油を生成する混合油生成方法であって、
前記石油残渣と前記重油との混合割合と、前記混合割合における前記混合油の着火温度との相関関係を示す着火特性を準備する着火特性準備ステップと、
前記混合油の着火温度の目標値となる目標着火温度を設定する目標着火温度設定ステップと、
前記着火特性に基づいて前記目標着火温度に対応する初期混合割合を目標混合割合に設定する目標混合割合設定ステップと、
前石油残渣と前記重油とを前記目標混合割合で混合する混合ステップと、を備える。
【００１０】
上記（１）の構成によれば、混合油（燃料油）における石油残渣と重油との混合割合は、混合油の着火特性に基づいて設定される。より詳細には、生成された混合油は、混合油を燃料として使用するボイラ装置などの装置に供給されるが、混合油の着火温度は、重油の混合割合の増加に伴って低温側に変化するなど、石油残渣と重油との混合割合によって変化する。この知見を利用して、混合油を燃料として使用する装置において混合油が目標着火温度で着火可能となる混合割合（初期混合割合）を着火特性から取得する。そして、この初期混合割合を目標混合割合として、目標混合割合を有するように混合油を生成する。これによって、重油の混合割合を着火特性に基づいて適切に設定することができ、ボイラ装置などの装置の燃料として要求される着火温度の特性（目標着火温度）を満たす混合油を低コストで生成することが可能となる。また、混合油を燃料として使用する装置の効率的な運転を図ることもできる。
【００１１】
（２）幾つかの実施形態では、上記（１）の構成において、
目標着火温度設定ステップにおいて、前記目標着火温度は、過去に使用実績のある燃料の着火温度に基づいて設定される。
上記（２）の構成によれば、目標着火温度で着火可能な混合油を低コストで確実に生成することができる。つまり、石油残渣は、例えば、減圧残油（ＶＲ）やＰＤＡＳなどとなる使用実績のある燃料に比べて揮発成分の割合が小さく、石油残渣の着火温度はＶＲやＰＤＡＳなどより高温側となるが、混合油は、重油の混合割合の増加に伴ってより低温で着火するようになる。その一方で、石油残渣の燃料利用にあたっては、混合油における重油の混合割合を小さくすることが生成コストの観点で望ましい。上記の構成によれば、過去に使用実績のある燃料の着火温度はボイラ装置などの装置で確実に混合油を着火（燃焼）可能な温度であり、この着火温度を目標着火温度とすることで、過去に実績のある燃料と同等の着火温度の特性を有する混合油を生成することができる。これによって、燃料として使用する装置の燃料の着火温度の特性を満たす混合油を低コストで生成することができる。
【００１２】
（３）幾つかの実施形態では、上記（１）〜（２）の構成において、
前記混合ステップで混合された前記混合油の粘度を取得する粘度取得ステップと、
前記粘度取得ステップで取得された前記混合油の前記粘度が予め定めた粘度閾値よりも大きい場合に、前記混合油の前記粘度が前記粘度閾値以下となるように、前記混合油を加熱する加熱ステップと、をさらに備える。
【００１３】
上記（３）の構成によれば、目標混合割合が着火温度に着目して決定されるため、混合油の使用環境に照らして混合油の粘度が高い場合があったとしても、混合油の使用環境に応じて混合油の粘度を調整することができる。例えば、後述するようなボイラシステムのように搬送装置を用いてボイラ装置に混合油を搬送する場合など、搬送に適した粘度を有する混合油を生成することができる。
【００１４】
（４）本発明の少なくとも一実施形態に係る混合油生成装置は、
石油残渣と重油とを混合して混合油を生成する混合油生成装置であって、
前記石油残渣と前記重油との混合割合と、前記混合割合における前記混合油の着火温度との相関関係を示す着火特性を記憶する着火特性記憶部と、
前記混合油の着火温度の目標値となる目標着火温度を設定する目標着火温度設定部と、
前記着火特性に基づいて前記目標着火温度に対応する初期混合割合を目標混合割合に設定する目標混合割合設定部と、
前記石油残渣と前記重油とを前記目標混合割合で混合する混合器と、を備える。
【００１５】
上記（４）の構成によれば、上記（１）と同様に、混合油を燃料として使用するボイラ装置などの装置において燃料として要求される着火温度の特性を満たす混合油を低コストで生成することができると共に、装置の効率的な運転を図ることもできる。
【００１６】
（５）幾つかの実施形態では、上記（４）の構成において、
前記目標着火温度は、過去に使用実績のある燃料の着火温度に基づいて設定される。
上記（５）の構成によれば、上記（２）と同様に、目標着火温度で着火可能な混合油を低コストで確実に生成することができる。
【００１７】
（６）幾つかの実施形態では、上記（４）〜（５）の構成において、
前記石油残渣または前記重油を加熱する加熱装置と、
前記混合器で混合された前記混合油の粘度を取得する粘度取得部と、
前記粘度取得部で取得された前記混合油の前記粘度が予め定めた粘度閾値よりも大きい場合に、前記混合油の前記粘度が前記粘度閾値以下となるように、前記混合油を加熱するよう前記加熱装置を制御する油温制御部と、をさらに備える。
【００１８】
上記（６）の構成によれば、上記の（３）と同様に、混合油の使用環境に応じて混合油の粘度を調整することができる。例えば、後述するようなボイラシステムのように搬送装置を用いてボイラ装置に混合油を搬送する場合など、搬送に適した粘度を有する混合油を生成することができる。
【００１９】
（７）本発明の少なくとも一実施形態に係るボイラシステムは、
請求項４〜６のいずれか１項に記載の混合油生成装置と、
前記混合油生成装置によって生成された前記混合油を燃焼させるボイラ装置と、
前記混合油生成装置によって生成された前記混合油を前記ボイラ装置に搬送するための搬送装置と、を備える。
【００２０】
上記（７）の構成によれば、混合油生成装置によって生成される混合油を搬送装置により燃料としてボイラ装置に搬送することができ、ボイラ装置の効率的な運転を図ることができる。
【００２１】
（８）幾つかの実施形態では、上記（７）の構成において、
前記ボイラシステムは、前記ボイラ装置における前記混合油の燃焼状況を監視する燃焼状況監視装置をさらに備え、
前記混合油生成装置は、前記燃焼状況監視装置で監視された前記混合油の燃焼状況に基づいて、前記目標混合割合を修正する目標混合割合修正部をさらに備える。
上記（８）の構成によれば、ボイラ装置での混合油の燃焼状況を目標混合割合の設定にフィードバックすることが可能となる。このように、混合油の燃焼状況に応じて目標混合割合を調整することで、ボイラ装置７の効率的な運転を図ることができる。
【００２２】
（９）幾つかの実施形態では、上記（８）の構成において、
前記混合油生成装置は、前記燃焼状況監視装置で監視された前記混合油の燃焼状況の良否を判定する燃焼状況判定部を、備え、
前記目標混合割合修正部は、前記燃焼状況判定部によって前記混合油の燃焼状況が不良と判定された場合に、前記目標混合割合における前記重油の混合割合が大きくなるように前記目標混合割合を修正する。
上記（９）の構成によれば、ボイラ装置における混合油の燃焼状況が不良と判定される場合には、現在設定されている目標混合割合における重油の混合割合が増加される。換言すれば、石油残渣の混合割合が減少される。これによって、混合油の着火温度をより低温側に変化させることで、より着火（燃焼）しやすい混合油を生成することができ、ボイラ装置における混合油の良好な燃焼を図ることができる。
【００２３】
（１０）幾つかの実施形態では、上記（８）〜（９）の構成において、
前記混合油生成装置は、前記燃焼状況監視装置で監視された前記混合油の燃焼状況の良否を判定する燃焼状況判定部を、備え、
前記目標混合割合修正部は、前記燃焼状況判定部によって前記混合油の燃焼状況が良好と判定された場合に、前記目標混合割合における前記重油の混合割合が小さくなるように前記目標混合割合を修正する。
上記（１０）の構成によれば、ボイラ装置において混合油の燃焼状況が良好と判定される場合には、現在設定されている目標混合割合における重油の混合割合が減少される。換言すれば、混合油における石油残渣の混合割合を増加させる。これによって、燃焼状況を良好に保ちながら、石油残渣の燃料としての利用率を高め、より低コストでの混合油の生成を図ることができる。
【００２４】
（１１）幾つかの実施形態では、上記（８）〜（１０）の構成において、
前記目標混合割合修正部は、前記ボイラ装置の出力が予め定めた出力閾値よりも低下することが予想される場合に、前記目標混合割合における前記重油の混合割合が大きくなるように前記目標混合割合を修正する。
上記（１１）の構成によれば、例えば発電所における電力需要の変動などによって、ボイラ装置の出力が混合油の燃焼状況に影響を与えるほど低下することが予想される場合があったとしても、混合油における重油の混合割合を大きくすることで、事前に、ボイラ装置における保炎を図ることができる。
【発明の効果】
【００２５】
本発明の少なくとも一実施形態によれば、燃料として要求される着火温度の特性を満たす混合油を低コストで生成可能な混合油生成方法が提供される。
【図面の簡単な説明】
【００２６】
【図１】本発明の一実施形態に係るボイラシステムの構成を概略的に示す図である。
【図２】本発明の一実施形態に係る混合油生成装置が備える混合割合設定装置の機能ブロック図である。
【図３】本発明の一実施形態に係る着火特性を説明するための図である。
【図４】本発明の一実施形態に係る混合油生成方法を示すフロー図である。
【図５】本発明の一実施形態に係るボイラシステムの構成を概略的に示す図であり、運用状況に応じて目標混合割合が修正される。
【図６】本発明の一実施形態に係る混合油生成装置が備える混合割合設定装置の機能ブロック図であり、図５に対応したものである。
【図７】本発明の一実施形態に係る混合油生成方法を示すフロー図であり、ボイラ装置の運転中に実行される。
【発明を実施するための形態】
【００２７】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、一の構成要素を「備える」、「具える」、「具備する」、「含む」、又は、「有する」という表現は、他の構成要素の存在を除外する排他的な表現ではない。
【００２８】
図１は、本発明の一実施形態に係る混合油生成装置２を含むボイラシステム１の構成を概略的に示す図である。また、図２は、本発明の一実施形態に係る混合油生成装置２が備える混合割合設定装置５の機能ブロック図である。混合油生成装置２は、石油残渣と重油とを混合して混合油を生成する装置である。図１〜図２に示される実施形態では、混合油生成装置２は、搬送装置６とボイラ装置７と共にボイラシステム１を構成している。搬送装置６は、混合油生成装置２によって生成された混合油をボイラ装置７に搬送するための装置であり、ボイラ装置７は、混合油生成装置２によって生成された混合油を燃焼させる装置である。つまり、ボイラシステム１では、混合油生成装置２によって生成された溶融状態の混合油を、搬送装置６によりボイラ装置７へ搬送し、搬送された混合油を燃料としてボイラ装置７が運転するように構成されている。
【００２９】
ボイラシステム１について詳述すると、図１〜図２に示される実施形態では、搬送装置６は、混合タンク３１で生成された混合油をボイラ装置７へ輸送する輸送ポンプ６２と、混合タンク３１とボイラ装置７とを結び、混合油が通過する輸送管６１とを備えており、生成された混合油を輸送ポンプ６２により輸送管６１を輸送させることで、混合タンク３１からボイラ装置７へ混合油を搬送する。また、本実施形態では搬送装置６は油加熱器６３を備えており、油加熱器６３は、ボイラ本体７１の内部においてバーナ７２によるバーナ噴霧に適した所定の動粘度範囲まで、輸送管６１内を流れる混合油を加熱する。他方、ボイラ装置７は、ボイラ本体７１と、１以上のバーナ７２とを備えており、ボイラ装置７へ搬送された混合油は、バーナ７２からボイラ本体７１（火炉）へ導入され、ボイラ本体７１内で燃焼される。ただし、この実施形態には限定されず、混合油生成装置２が生成した混合油は、ボイラ装置７以外の他の装置に燃料として搬送されるよう構成されても良い。
【００３０】
次に、混合油生成装置２について説明する。図１〜図２に示されるように、混合油生成装置２は、混合器３と、着火特性記憶部５１と、目標着火温度設定部５２と、目標混合割合設定部５３と、を備え、石油残渣と重油との混合割合の目標となる目標混合割合Ｐｔを有するように混合油を生成する。例えば、混合割合は、混合油における重油の割合（重油の混合割合）がａ％（重量％）とすると、この混合油における石油残渣の割合（石油残渣の混合割合）は（１００−ａ）％となる。石油残渣は、例えば、溶剤脱れき（ＳＤＡ：Ｓｏｌｖｅｎｔ  Ｄｅ−Ａｓｐｈａｌｔｉｎｇ）装置などの残油分解装置で副生されるＳＤＡピッチである。ＳＤＡピッチは、原油を常圧蒸留して得られる常圧残渣（重油やアスファルトなど）を減圧残留し、この減圧残留によって得られる減圧残油（ＶＡ：Ｖａｃｕｕｍ  Ｒｅｓｉｄｕｅ）を溶剤（例えばペンタン）を使って分解した残渣油である。ＳＤＡピッチは、粘度が高く、常温時に固形化している。重油は、固形化された石油残渣よりも軽質であって、石油残渣と親和性の高いものが適している。また、重油は、石油残渣を溶融するための粘度調整剤としての作用を有しており、石油残渣は、重油と混合されることで低粘度化され、流体化される。
【００３１】
混合器３は、石油残渣と重油とを目標混合割合Ｐｔで混合するための装置である。図１〜図２に示される実施形態では、混合器３は、混合タンク３１と、混合タンク３１の内部に設置された攪拌翼３２と、混合割合調整器３３とを備えている。混合タンク３１は石油残渣および重油が内部に投入されるタンクである。また、混合割合調整器３３は、後述するように、目標混合割合設定部５３から入力される目標混合割合Ｐｔの設定に従って、生成される混合油における石油残渣と重油との混合割合が目標混合割合Ｐｔとなるように、石油残渣や重油の混合タンク３１への投入量を調整する装置である。具体的には、目標混合割合Ｐｔに応じた量の石油残渣および重油を混合タンク３１にそれぞれ投入しても良い。
【００３２】
そして、混合割合調整器３３の動作を制御することになる目標混合割合Ｐｔは、上述した着火特性記憶部５１および目標着火温度設定部５２、目標混合割合設定部５３によって決定される。図１〜図２に示される実施形態では、これらの各機能部は、混合割合設定装置５において動作するプログラム（ソフトウェア）の機能部として実現されている（図２参照）。すなわち、混合割合設定装置５はコンピュータであり、このコンピュータは、図示しないＣＰＵ（プロセッサ）や主記憶装置、入出力装置（例えば、マウス、キーボード、ディスプレイなど）、補助記憶装置、ネットワークインタフェースなどの周知な構成を含んで構成されても良い。そして、主記憶装置にロードされたプログラムの命令に従ってＣＰＵが動作（データの演算など）すること上記の各機能部が実現される。
以下に、混合油生成装置２が備える目標混合割合Ｐｔを決定するための上記の機能部を説明する。
【００３３】
着火特性記憶部５１は、石油残渣と重油との混合割合と、混合割合における混合油の着火温度との相関関係を示す着火特性Ｆを記憶する。図３は、本発明の一実施形態に係る着火特性Ｆを説明するための図である。図３には、着火特性Ｆとして、石油残渣が１００％の燃料油（石油残渣の混合割合が１００％となる混合油）の着火温度を基準とし、混合油における重油の混合割合を増加させた際の混合油の着火温度の推移が実線で示されている。ここで、図３の着火温度は、ＪＩＳ  Ｋ  ２２６５−４「引火点の求め方  第４部：クリーブランド開放法」で評価した混合油の引火点であり、この引火点を着火温度として着火特性Ｆを準備し、着火特性記憶部５１に記憶している。他の幾つかの実施形態では、他の評価方法で着火特性Ｆを準備しても良い。例えば、輻射着火温度を評価した結果で着火特性Ｆを準備しても良く、一定量の混合油（供試燃料）を空気とともに加熱した炉内に吹き込んだとき、供試燃料が緩慢着火燃焼をする最低温度を着火温度として着火特性Ｆを準備することができる。なお、着火特性記憶部５１は上述した主記憶装置により実現されても良く、オペレータの入力などの操作を通して主記憶装置に展開されても良いし、プログラムの実行に伴って補助記憶装置から読み込まれることで主記憶装置に展開されても良い。あるいは、着火特性記憶部５１は補助記憶装置により実現されても良い。
【００３４】
図３に示されるように、混合油の着火特性Ｆは、混合油における重油の混合割合の増加に伴って混合油の着火温度が低下することを示している。つまり、着火温度が低下することで、混合油はより着火（燃焼）しやすくなるという性質を有する。この性質を利用すれば、混合油における石油残渣と重油との混合割合を調整することで、所望の着火温度を有する混合油を生成することが可能となる。逆に、着火特性Ｆに基づいて、混合油を着火させたい所望の温度（目標着火温度Ｔｔ）から、混合油における石油残渣と重油との混合割合を導出することが可能となる。そして、所望の着火温度を有する混合油を生成可能な混合割合（初期混合割合Ｐｉ）を着火特性Ｆに基づいて決定し、目標混合割合Ｐｔとして混合器３に設定（指示）するために、下記に説明する目標着火温度設定部５２と目標混合割合設定部５３とが動作する。
【００３５】
目標着火温度設定部５２は、混合油の着火温度の目標値となる目標着火温度Ｔｔを設定する。図１〜図２に示される実施形態では、目標着火温度Ｔｔは、混合油を燃料として使用する装置（図１ではボイラ装置７）において混合油を着火させたい所望の温度なっている。この所望の温度である目標着火温度Ｔｔは、過去に使用実績のある燃料の着火温度に基づいて設定されても良い。過去に使用実績のある燃料は、例えば、減圧残油（ＶＲ）やＰＤＡＳなどであっても良い。例えば、ＶＲを燃料とした場合と同様にボイラ装置７を運転させたい、あるいは、運転させる必要があるといった装置側などからの要求がある場合、この要求に応じて、ＶＲの着火温度である温度Ｔｖが目標着火温度Ｔｔに設定される。同様に、ＰＤＡＳを燃料とした場合と同様にボイラ装置７を運転させたい等の装置側の要求に応じて、ＰＤＡＳの着火温度である温度Ｔｐが目標着火温度Ｔｔに設定される。なお、目標着火温度Ｔｔは、例えばオペレータによる入出力装置の操作により設定されても良いし、補助記憶装置などに予め記憶されている情報が読み込まれて設定されても良い。
【００３６】
目標混合割合設定部５３は、着火特性Ｆに基づいて目標着火温度Ｔｔに対応する初期混合割合Ｐｉを目標混合割合Ｐｔを設定する。例えば、目標着火温度ＴｔにＶＲの着火温度（温度Ｔｖ）が設定されていた場合、図３の着火特性Ｆに基づいて、温度Ｔｖと同等の着火温度を有する混合油の混合割合は、重油がＰｖ％、石油残渣が（１００−Ｐｖ）％であることが導出される。同様に、目標着火温度ＴｔにＰＤＡＳの着火温度（温度Ｔｐ）が設定されていた場合、図３の着火特性Ｆに基づいて、温度Ｔｐと同等の着火温度を有する混合油の混合割合は、重油がＰｐ％、石油残渣が（１００−Ｐｐ）％であることが導出される。図１〜図２に示される実施形態では、図２に示されるように、目標混合割合設定部５３は、着火特性記憶部５１および目標着火温度設定部５２にそれぞれ接続されており、目標着火温度設定部５２から入力される目標着火温度Ｔｔに対応する初期混合割合Ｐｉを着火特性記憶部５１に記憶された着火特性Ｆに基づいて導出する。そして、この場合には、導出した混合割合を格納するための変数となる目標混合割合Ｐｔに設定している。目標混合割合設定部５３は、こうして決定された目標混合割合Ｐｔを上述した混合割合調整器３３に入力している。
【００３７】
次に、図４を用いて、石油残渣と重油とを混合して混合油を生成する混合油生成方法を説明する。図４は、本発明の一実施形態に係る混合油生成方法を示すフロー図である。図４に示されるように、混合油生成方法は、着火特性準備ステップ（Ｓ４１）と、目標着火温度設定ステップ（Ｓ４２）と、目標混合割合設定ステップ（Ｓ４３）と、混合ステップ（Ｓ４４）とを備え、これらのステップを順に実行することで混合油は生成される。この混合油生成方法は、例えば、上述した構成を備える混合油生成装置２よって実行される。なお、図４に記載された他のステップは任意のステップであり、後述する。
【００３８】
図４のステップＳ４１において、着火特性準備ステップが実行される。着火特性準備ステップは、石油残渣と重油との混合割合と、この混合割合における混合油の着火温度との相関関係を示す着火特性Ｆを準備するステップである。着火特性Ｆは、実験などを通して予め作成するなど、混合油生成方法の実行時に利用可能なように準備される。
【００３９】
図４のステップＳ４２において、目標着火温度設定ステップが実行される。目標着火温度設定ステップは、混合油の着火温度の目標値となる目標着火温度Ｔｔを設定するステップである。本ステップでは、生成しようとする混合油に要求される任意の着火温度を、目標着火温度Ｔｔとして設定可能である。例えば、目標着火温度Ｔｔは、減圧残油（ＶＲ）の着火温度やＰＤＡＳの着火温度など、過去に使用実績のある燃料の着火温度であっても良い。これによって、過去に使用実績のある燃料の着火温度はボイラ装置７などの装置で確実に混合油を着火（燃焼）可能な温度であり、燃焼不良の発生を防止するなど、目標着火温度で着火可能な混合油を低コストで確実に生成することができる。
【００４０】
図４のステップＳ４３において、目標混合割合設定ステップが実行される。目標混合割合設定ステップは、図３に示されるような着火特性Ｆに基づいて目標着火温度Ｔｔに対応する初期混合割合Ｐｉを目標混合割合Ｐｔに設定するステップである。例えば、図３の着火特性Ｆによれば、目標着火温度Ｔｔが例えば温度Ｔｖの場合には、初期混合割合Ｐｉは、重油の混合割合がＰｖ％であり、石油残渣の混合割合が（１００−Ｐｖ）％となり、この混合割合が目標混合割合Ｐｔに設定される。
【００４１】
図４のステップＳ４４において、混合ステップが実行される。混合ステップは、石油残渣と重油とを目標混合割合Ｐｔで混合するステップである。本ステップによって、目標混合割合Ｐｔを有する混合油が生成される。
【００４２】
上記の構成によれば、混合油（燃料油）における石油残渣と重油との混合割合は、混合油の着火特性Ｆに基づいて設定される。より詳細には、混合油の着火温度は、重油の混合割合の増加に伴って低温側に変化するなど、石油残渣と重油との混合割合によって変化するとの知見に基づき、この知見を利用して、混合油を燃料として使用する装置において混合油が目標着火温度で着火可能となる混合割合（初期混合割合Ｐｉ）を着火特性Ｆから取得する。実際に生成される混合油の混合割合（目標混合割合Ｐｔ）として設定される。これによって、重油の混合割合を着火特性Ｆに基づいて適切に設定することができ、ボイラ装置などの装置の燃料として要求される着火温度の特性（目標着火温度）を満たす混合油を低コストで生成することが可能となる。また、混合油を燃料として使用する装置の効率的な運転を図ることもできる。
【００４３】
また、目標着火温度Ｔｔを、過去に使用実績のある燃料の着火温度に基づいて設定することで、目標着火温度Ｔｔで着火可能な混合油を低コストで確実に生成することができる。つまり、石油残渣は、例えば、減圧残油（ＶＲ）やＰＤＡＳなどとなる使用実績のある燃料に比べて揮発成分の割合が小さく、石油残渣の着火温度はＶＲやＰＤＡＳなどより高温側となるが、混合油は、重油の混合割合の増加に伴ってより低温で着火するようになる。その一方で、石油残渣の燃料利用にあたっては、混合油における重油の混合割合を小さくすることが生成コストの観点で望ましい。上記の構成によれば、過去に使用実績のある燃料の着火温度はボイラ装置７などの装置で確実に混合油を着火（燃焼）可能な温度であり、この着火温度を目標着火温度Ｔｔとすることで、過去に実績のある燃料と同等の着火温度の特性を有する混合油が生成することができる。
【００４４】
また、幾つかの実施形態では、図１に示されるように、混合油生成装置２は、混合器３における石油残渣と重油を加熱する加熱装置４を備えると共に（図１参照）、図２に示されるように、混合器３で混合された混合油の粘度を取得する粘度取得部５４と、粘度取得部５４で取得された混合油の粘度が予め定めた粘度閾値よりも大きい場合に、混合油の粘度が粘度閾値以下となるように混合油を加熱するよう加熱装置４を制御する油温制御部５５と、をさらに備える。加熱装置４で加熱されることによって、混合油の粘度が低下することになる。上記の粘度閾値は、例えば、輸送ポンプ６２によって輸送管６１を通して混合油を輸送するのに適した粘度であり、所定の移送粘度範囲（例えば３００〜７００ｍｍ２／ｓｅｃ）のいずれか値を粘度閾値としても良い。あるいは、搬送装置６が油加熱器６３（図１参照）を備えていない場合など、所定の燃焼粘度範囲（例えば１５〜１００ｍｍ２／ｓｅｃ程度）のいずれかの値を粘度閾値としても良い。また、加熱後の混合油の粘度が粘度閾値の設定における根拠とした上記の移送粘度範囲内あるいは燃焼粘度範囲内となるように、加熱装置４によって加熱しても良い。
【００４５】
図１に示される実施形態では、加熱装置４は混合タンク３１の下部に設けられた加熱ヒータであり、混合タンク３１の内部の石油残渣および重油を加熱している。例えば、混合タンク３１に投入された石油残渣および重油を攪拌翼３２によって混合しながら、加熱装置４によって加熱しても良い。あるいは、石油残渣又は重油の加熱は、混合タンク３１の内部で両者を混合した後に、加熱しても良い。なお、混合油は、石油残渣および重油により生成されるので、石油残渣および重油の両方を加熱することは混合油を加熱することにも該当する。ただし、この実施形態には限定されず、加熱装置４は、混合タンク３１の周囲に設けられ、石油残渣または重油の少なくとも一方を加熱することによって混合油を加熱しても良い。例えば、混合タンク３１の外部で石油残渣を事前に加熱してから、石油残渣を混合タンク３１に投入することで、混合油を加熱してもよい。あるいは、混合タンク３１内で重油だけを加熱した後に石油残渣を混合タンク３１に投入することで、混合油を加熱してもよい。
【００４６】
また、上記の粘度取得部５４および油温制御部５５は加熱装置４を制御するための構成となる。粘度取得部５４は、動粘度や粘度などの情報が入力されることにより混合油の粘度を取得する。また、図２に示されるように、粘度取得部５４は油温制御部５５に接続されており、取得した粘度を油温制御部５５に出力する。油温制御部５５は、入力された粘度に基づいて、加熱装置４の加熱のための出力を制御する。図１〜図２に示される実施形態では、粘度取得部５４および油温制御部５５は、混合割合設定装置５で動作するプログラムの機能部として実装されている。また、混合タンク３１には、混合タンク３１内の混合油の動粘度や粘度（以下、動粘度と粘度をまとめて粘度という。）を検出するための粘度計測器８１が設けられており、粘度取得部５４はこの粘度計測器８１により混合器３で混合された混合油の粘度を取得する。例えば、粘度計測器８１は、温度センサであっても良い。この場合には、粘度取得部５４は、混合油の温度と粘度との相関関係を示したマップ等に基づいて、検出された混合油の温度から混合油の粘度を推定しても良い。あるいは、粘度計測器８１は、混合油の粘度を直接計測可能な粘度計であっても良い。粘度計測器８１は、混合油の密度と粘度との計測を通して動粘度を測定する動粘度測定器であっても良い。
【００４７】
本実施形態に対応した混合油生成方法を、図４を用いて説明する。図４に示されるように、混合油生成方法は、既に説明した着火特性準備ステップ（Ｓ４１）と、目標着火温度設定ステップ（Ｓ４２）と、目標混合割合設定ステップ（Ｓ４３）と、混合ステップ（Ｓ４４）とに加えて、粘度取得ステップ（Ｓ４５）と、加熱ステップ（Ｓ４６）とを備える。これらのステップ（Ｓ４１〜Ｓ４６）を経て、目標混合割合Ｐｔを有すると共に、粘度閾値以下の所定の粘度を有する混合油が生成される。この混合油生成方法は、例えば、上述した構成を備える混合油生成装置２よって実行される。なお、図４のステップＳ４１〜Ｓ４４の説明は、既に説明しているため省略する。
【００４８】
図４のステップＳ４５において、粘度取得ステップが実行される。粘度取得ステップは、混合ステップ（Ｓ４４）で混合された混合油の粘度を取得するステップである。ここでいう粘度は、粘度の他、粘度を密度で除算した動粘度であっても良い。
【００４９】
図４のステップＳ４６において、加熱ステップが実行される。加熱ステップは、粘度取得ステップ（Ｓ４５）で取得された混合油の粘度が予め定めた粘度閾値よりも大きい場合に、混合油の粘度が粘度閾値以下となるように、石油残渣または重油の少なくとも一方を加熱するステップである。石油残渣のみ、重油のみ、石油残渣および重油の両方が加熱されることで、生成された混合油の粘度調整がなされる。
【００５０】
上記の構成によれば、目標混合割合Ｐｔが着火温度に着目して決定されるため、混合油の使用環境に照らして混合油の粘度が高い場合があったとしても、混合油の使用環境に応じて混合油の粘度を調整することができる。例えば、ボイラシステム１において搬送装置６を用いてボイラ装置７に混合油を搬送する場合において、搬送に適した粘度を有する混合油を生成することができる。例えば、搬送装置６が油加熱器６３を備えていない場合などには、バーナ噴霧に適した粘度を有する混合油を生成することができる。
【００５１】
なお、加熱装置４は、混合時間を調整するために使用されても良く、加熱により混合を促進する作用を有する。この用途のみに着目した場合には、ボイラ装置７などへの混合油（燃料油）の供給タイミングに間に合わせる必要があるといったシステム要件を満たすように混合油を生成可能な場合には、加熱装置４を省略しても良い。例えば、混合油の生成にあたっては、石油残渣の粒径により流動化した混合油を生成可能な時間は変わる。例えば、石油残渣の粒径が１０ｍｍ程度の場合の重油との混合時間は３０分程度であるが、石油残渣の粒径が２００ｍｍ程度の場合には１０時間程度の混合時間が必要となる。このため、石油残渣を所定粒径まで粉砕可能なミル（不図示）を使用するなどして、所望の粒径を有する石油残渣を準備することにより混合時間を短縮することによって、加熱装置４を省略しても良い。
【００５２】
次に、混合油生成装置２によって生成された混合油を使用してボイラ装置７が運転している際に、状況に応じて目標混合割合Ｐｔを修正して混合油を生成する場合を、図５〜図７を用いて説明する。図５は、本発明の一実施形態に係るボイラシステム１の構成を概略的に示す図であり、運用状況に応じて目標混合割合Ｐｔが修正される。図６は、本発明の一実施形態に係る混合油生成装置２が備える混合割合設定装置５の機能ブロック図であり、図５に対応したものである。また、図７は、本発明の一実施形態に係る混合油生成方法を示すフロー図であり、ボイラ装置７の運転中に実行される。なお、図５〜図６に示された符号の付された構成のうち、図１〜図２と同一の符号が付された構成は同じ構成であり、同じ構成についての説明は省略する。
【００５３】
幾つかの実施形態では、図５〜図６に示されるように、ボイラシステム１は、ボイラ装置７における混合油の燃焼状況を監視する燃焼状況監視装置８２をさらに備える。そして、混合油生成装置２は、燃焼状況監視装置８２で監視された混合油の燃焼状況に基づいて、目標混合割合Ｐｔを修正する目標混合割合修正部５６をさらに備える。混合油の燃焼状況は、例えばバーナ７２の火炎により監視しても良い。この場合、燃焼状況監視装置８２は、ボイラ本体７１の内部を監視可能な炉内監視カメラや火炎検出器（フレームスキャナ）などであっても良い。炉内監視カメラを用いて取得される撮像画像を画像処理することで、バーナ７２の火口の炎の長さ（火炎長）や火炎の色など燃焼状況を示す情報を取得できる。また、火炎検出器によって、熱風や熱放射、ガスの熱膨張、燃焼生成物、放射光などの燃焼状況を示す情報を取得できる。こうして得られた混合油の燃焼状況の監視結果は、目標混合割合修正部５６に入力されて、現在設定されている目標混合割合Ｐｔの修正に利用される。図５〜図６に示される実施形態では、目標混合割合修正部５６は混合割合設定装置５で動作するプログラムの機能部として実装されており、燃焼状況監視装置８２による監視結果は、混合割合設定装置５に入力されている。なお、図５には、混合割合設定装置５は粘度取得部５４と油温制御部５５とを備えているが、両者を備えていなくても良い。
【００５４】
また、目標混合割合修正部５６によって目標混合割合Ｐｔが修正されると、上述した混合器３の混合割合調整器３３は、修正後の目標混合割合Ｐｔに従って石油残渣や重油の混合タンク３１への投入量を調整することになる。幾つかの実施形態では、混合割合調整器３３は、目標混合割合設定部５３から入力された修正後の目標混合割合Ｐｔに応じた量の石油残渣と重油を混合タンク３１に投入しても良く、混合タンク３１内の混合油の混合割合は時間の経過に従って変化し、最終的に修正後の目標混合割合Ｐｔとなる。ただし、この実施形態には限定されない。例えば、他の幾つかの実施形態では、混合タンク３１に残存している混合油の量および修正前の目標混合割合Ｐｔに基づいて、残存している混合油における石油残渣と重油との混合割合を修正後の目標混合割合Ｐｔに変化させるのに要する石油残渣または重油の量を算出し、算出された石油残渣および重油が混合タンク３１に投入されても良い。例えば、算出の結果、石油残渣または重油の一方の投入量が０となることで、石油残渣または重油の少なくとも一方が投入されても良い。そして、この投入の後に、修正後の目標混合割合Ｐｔに応じた量の石油残渣と重油を混合タンク３１に投入する。上記の算出には、さらに、混合タンク３１からボイラ装置７に向けて搬送される混合油の排出量を考慮しても良い。なお、上記の算出は、例えば混合割合設定装置５に算出部（不図示）を設けるなど、混合油生成装置２が算出部を備えることにより混合割合調整器３３とは別の機能部により行っても良いし、混合割合調整器３３が修正後の目標混合割合Ｐｔの設定を受けて自動的に行っても良い。
【００５５】
これによって、ボイラ装置７での混合油の燃焼状況を目標混合割合Ｐｔの設定にフィードバックすることが可能となり、混合油の燃焼状況に応じた目標混合割合Ｐｔの調整を可能とすることで、ボイラ装置７の効率的な運転を図ることができる。例えば、石油残渣の性状の変化により混合油の特性が変化するなど、何らかの理由によりバーナ７２の燃焼状況の変化が検出された場合には、その変化を打ち消すように、目標混合割合Ｐｔを修正しても良い。または、下記に説明する実施形態のように目標混合割合Ｐｔを修正しても良い。
【００５６】
すなわち、幾つかの実施形態では、図５〜図６に示されるように、混合油生成装置２は、燃焼状況監視装置８２で監視された混合油の燃焼状況の良否を判定する燃焼状況判定部５７を備える。燃焼状況判定部５７は、上述した燃焼状況監視装置８２からの監視結果が入力されると共に、上述した目標混合割合修正部５６にその判定結果を出力する。また、上記の燃焼状況の良否は、燃焼状況を示す指標と良否判定閾値との比較によって判定される。例えば、この指標が火炎長の場合には、燃焼状況判定部５７は、検出された火炎長が良否判定閾値よりも短い場合には混合油の燃焼状況が不良と判定しても良い。また、燃焼状況判定部５７は、検出された火炎長が良否判定閾値以上の長さを有する場合には混合油の燃焼状況が良好と判定しても良い。あるいは、燃焼状況を示す指標と良好判定閾値あるいは不良判定閾値との比較によって、良好判定閾値よりも例えば火炎長が長い場合には良好と判定し、不良判定閾値よりも例えば火炎長が短い場合には不良と判定しても良い。この場合には、燃焼状況が不良とも良好とも判定されない場合は、下記に説明するような目標混合割合Ｐｔの修正は実行されないことになる。
【００５７】
そして、幾つかの実施形態では、上記の目標混合割合修正部５６は、燃焼状況判定部５７によって混合油の燃焼状況が不良と判定された場合に、目標混合割合Ｐｔにおける重油の混合割合が大きくなるように目標混合割合Ｐｔを修正する。混合油における重油の混合割合を大きくすると、混合油はより低い温度で着火するようになる（図３参照）。このように混合油の着火温度を低下させることで、バーナ７２における混合油の着火性（燃焼性）を改善し、バーナ７２の保炎など、ボイラ装置７における混合油の良好な燃焼を図ることができる。
【００５８】
他の幾つかの実施形態では、目標混合割合修正部５６は、燃焼状況判定部５７によって混合油の燃焼状況が良好と判定された場合に、目標混合割合Ｐｔにおける重油の混合割合が小さくなるように目標混合割合Ｐｔを修正する。混合油における重油の混合割合を小さくすると、混合油における石油残渣の混合割合を増加することができるので、石油残渣の燃料としての利用率を高め、混合油の生成コスト（製造コスト）を低減することができる。例えば、目標着火温度Ｔｔを、例えば、過去に使用実績のある燃料である例えば減圧残油（ＶＲ）の着火温度よりも低い温度とし、この温度を着火温度とする混合油を生成するとする。この混合油は、目標着火温度ＴｔをＶＲの着火温度としたものに比べて着火性に優れるものの、重油の混合割合がより大きいため生成コストの点では劣ることになる。しかしながら、ボイラ装置７の運転開始時の着火性を良くすることで運転を確実に開始し、その後、燃焼状況のフィードバックにより重油の混合割合を小さくするように目標混合割合Ｐｔを修正するというような制御が可能となる。このように、重油の混合割合の最適化が可能となると共に、燃焼状況を良好に保ちながら、石油残渣の燃料としての利用率を高め、より低コストでの混合油の生成を図ることができる。
【００５９】
また、その他の幾つかの実施形態では、上述した２つの実施形態を組み合わせても良く、燃焼状況の良否に応じて、目標混合割合Ｐｔを修正することで、重油の混合割合を最適化することができる。
【００６０】
また、混合油における重油の混合割合の下限値や石油残渣の混合割合の上限値を設け、重油の混合割合をその下限値よりも小さくしないように、あるいは、石油残渣の混合割合をその上限値よりも大きくしないようにしても良い。この下限値あるいは上限値は、例えば減圧残油（ＶＲ）やＰＤＡＳなどの、過去に使用実績のある燃料の着火温度に対応する混合割合における重油の混合割合あるいは石油残渣の混合割合としても良い。過去に使用実績のある燃料はボイラ装置７などの装置における燃焼が確認されたものであり、過去に使用実績のある燃料の着火温度以下の着火温度を有する混合油であれば、装置での燃焼は可能と推測できる。このため、重油の混合割合が下限値以上あるいは石油残渣の混合割合が上限値以下の混合油を生成することで、ボイラ装置７などの装置の運転開始時に混合油がなかなか着火しないという状況や、運転中に失火するなどといった状況の発生を防止することができる。
【００６１】
また、幾つかの実施形態では、図６に示されるように、目標混合割合修正部５６は、ボイラ装置７の出力が予め定めた出力閾値よりも低下することが予想される場合に、目標混合割合Ｐｔにおける重油の混合割合が大きくなるように目標混合割合Ｐｔを修正する。例えば、ボイラ装置７が火力発電所で用いられており、電力需要予測などに基づいて、電力需要が低下する場合にはボイラ装置７の出力を小さくする場合がある。この際、ボイラ装置７の出力を低下させると、出力が大きい場合に比べて、バーナ７２における保炎が難しくなる場合が想定される。このように、ボイラ装置７の出力低下が燃焼状況に影響を及ぼすような状況を検出可能な値に上記の出力閾値を設定することで、フィードフォワード制御によって混合油における重油の混合割合を大きくし、より優れた着火性を有する混合油を生成する。この目標混合割合Ｐｔの修正は燃焼状況が良好と判定されている場合にかかわらず、実行されても良い。
【００６２】
ボイラ装置７の出力の予測時期は、混合油生成装置２による混合油の生成時間および搬送装置６による搬送時間に基づいて定めても良い。例えば、石油残渣や重油が混合タンク３１に投入されてから搬送装置６によりボイラ装置７に搬送されるまでに要する時間だけ先のボイラ装置７の出力を予測しても良い。
【００６３】
上記の構成によれば、例えば発電所における電力需要の変動などによって、ボイラ装置７の出力が混合油の燃焼状況に影響を与えるほど低下することが予想される場合があったとしても、混合油における重油の混合割合を大きくすることで、事前に、ボイラ装置７における保炎を図ることができる。
【００６４】
上述したボイラ装置７の運転中における混合油生成方法を、図７を用いて説明する。なお、図７のフローは所定の周期で開始されるものとする。
図７のステップＳ７１〜ステップＳ７２は、ボイラ装置７の出力の予測値に基づいて目標混合割合Ｐｔを修正する上述した実施形態に対応する。すなわち、ステップＳ７１において、混合割合設定装置５などの燃焼状況判定部５７は、ボイラ装置７の出力予想値が出力閾値より小さいか否かを判定する。本ステップは、ボイラ装置７の出力が予め定めた出力閾値よりも低下することが予想されるか否かを判定するためのステップである。出力予想値は、上述したように、例えば、石油残渣や重油が混合タンク３１に投入されてから搬送装置６によりボイラ装置７に搬送されるまでに要する時間だけ先のボイラ装置７の出力値であっても良い。そして、ステップＳ７１において、燃焼状況判定部５７によって、ボイラ装置７の出力予想値が出力閾値より小さいと判定される場合には、ステップＳ７２において、目標混合割合修正部５６は、目標混合割合Ｐｔにおける重油の混合割合が大きくなるように目標混合割合Ｐｔを修正する。逆に、ステップＳ７１において、ボイラ装置７の出力予想値が出力閾値以上の場合には、ステップＳ７３に移る。
【００６５】
図７のステップＳ７３〜ステップＳ７７は、上述したボイラ装置７における混合油の燃焼状況の良否に応じて、現在の目標混合割合Ｐｔを修正する実施形態に対応する。すなわち、ステップＳ７３において、燃焼状況判定部５７は、ボイラ装置７における混合油の燃焼状況が不良か否かを判定する。そして、ステップＳ７３において、混合油の燃焼状況が不良と判定された場合には、ステップＳ７４において、目標混合割合修正部５６は、現在の目標混合割合Ｐｔにおける重油の混合割合が大きくなるように、現在の目標混合割合Ｐｔを修正する。逆に、ステップＳ７３において、混合油の燃焼状況が不良と判定されない場合には、次のステップＳ７５に移る。
【００６６】
ステップＳ７５において、燃焼状況判定部５７は、ボイラ装置７における混合油の燃焼状況が良好か否かを判定する。そして、ステップＳ７５において、混合油の燃焼状況が良好と判定された場合には、ステップＳ７６において、目標混合割合修正部５６は、現在の目標混合割合Ｐｔにおける重油の混合割合が重油の混合割合の下限値よりも大きいか否かを判定し、大きいと判定される場合には、ステップＳ７７において、目標混合割合修正部５６は、現在の目標混合割合Ｐｔにおける重油の混合割合が小さくなるように、現在の目標混合割合Ｐｔを修正する。逆に、ステップＳ７５において混合油の燃焼状況が良好と判定されない場合や、ステップＳ７６において現在の目標混合割合Ｐｔにおける重油の混合割合が重油の混合割合の下限値以下と判定される場合には、フローを終了する。
【００６７】
なお、上記の重油の混合割合の下限値は、石油残渣の混合割合の上限値であっても良いことは当然であり、この場合には、ステップＳ７６は、石油残渣の混合割合の上限値よりも小さい場合を判定し、小さい場合には、ステップＳ７７を実行することになる。また、図７に示される実施形態の混合油生成方法はステップＳ７１〜Ｓ７７を備えているが、この実施形態には限定されない。他の幾つかの実施形態では、混合油生成方法は、ステップＳ７１〜ステップＳ７２のセット、ステップＳ７３〜ステップＳ７４のセット、ステップＳ７５〜ステップＳ７７のセットうちの、少なくとも一つのセットを備えていれば良い。また、ステップＳ７６は備えていなくても良い。
【００６８】
本発明は上述した実施形態に限定されることはなく、上述した実施形態に変形を加えた形態や、これらの形態を適宜組み合わせた形態も含む。
【符号の説明】
【００６９】
１      ボイラシステム
２      混合油生成装置
３      混合器
３１    混合タンク
３２    攪拌翼
３３    混合割合調整器
４      加熱装置
５      混合割合設定装置
５１    着火特性記憶部
５２    目標着火温度設定部
５３    目標混合割合設定部
５４    粘度取得部
５５    油温制御部
５６    目標混合割合修正部
５７    燃焼状況判定部
６      搬送装置
６１    輸送管
６２    輸送ポンプ
６３    油加熱器
７      ボイラ装置
７１    ボイラ本体
７２    バーナ
８１    粘度計測器
８２    燃焼状況監視装置
Ｆ      着火特性
Ｔｔ    目標着火温度
Ｔｖ    温度（減圧残油の着火温度）
Ｔｐ    温度（ＰＤＡＳの着火温度）
Ｐｔ    目標混合割合
Ｐｉ    初期混合割合
Ｐｖ    Ｔｖに対応する混合割合
Ｐｐ    Ｔｐに対応する混合割合
【図１】
0006650282.tif 000002
【図２】
0006650282.tif 000003
【図３】
0006650282.tif 000004
【図４】
0006650282.tif 000005
【図５】
0006650282.tif 000006
【図６】
0006650282.tif 000007
【図７】
0006650282.tif 000008